(57)【特許請求の範囲】
【請求項１】
浴槽が設置される浴槽フロアーと洗い場が設けられる洗場フロアーとを連結することによりフロアーが形成される浴室ユニットのフロアー構造であって、
前記浴槽フロアーを、上面側に開口部を有する枠状の金属架台と該金属架台の開口部内に配置され内部に浴槽が収容配置される前記金属架台と略同じ高さの深底桶状の防水パンとで構成すると共に、前記洗い場フロアーを、上面側に開口部を有する枠状の金属架台と該金属架台の開口部上に配置される浅底皿形状の防水パンとで構成することにより前記フロアーを４つの部材に分割できると共に、前記フロアーの設置状態において、浴槽側の防水パンと洗い場側の防水パンとが連結部材により連結され、且つ、前記洗い場フロアーは、防水パン部とカウンター部とに分割され、前記連結部材は、浴槽側の防水パンに形成された固定面に対応した固定部と、洗い場側の防水パンに形成された係止壁に対応して断面略逆Ｕ字状とされた係止部とを有し、当該連結部材が洗い場フロアーと浴槽側の防水パンが接する領域のほぼ全長にわたって設けられていることを特徴とする浴室ユニットのフロアー構造。
【請求項２】
前記洗い場側の防水パンは、その裏面に該防水パンの補強を兼ねる固定板が設けられ、該固定板が洗い場側の金属架台の桁材に固定されるとともに、洗い場フロアーの防水パン部の略中央部に対応するように、洗い場フロアーの金属架台を構成する枠の中央に前記桁材を配設し、且つ、前記固定板は、金属架台の中央の桁材、反浴槽側の金属架台に固定されたことを特徴とする請求項１に記載の浴室ユニットのフロアー構造。
【発明の詳細な説明】
【０００１】
【発明の属する技術分野】
本発明は、内部にフロアーとしての浴槽フロアーと洗い場フロアーを有する浴室ユニットに係わり、特に床面を形成するフロアー構造に関する。
【０００２】
【従来の技術】
従来、一般的な浴室ユニットのフロアーにおいては、浴槽フロアーと洗い場フロアーとが樹脂で一体成型されると共に、その裏面に高さ調整用の脚が設けられた防水パンによって形成されている。また、他の浴室ユニットのフロアーとしては、例えば特開平９−８４７１４号公報に開示されているように、支持架台上に支持され浴槽落とし込み用の開口を有して浴槽の上縁部に当接する浴槽受けで浴槽を支持させた浴槽フロアーと、浴槽の側方に該浴槽の上縁部まで立ち上がったエプロン部や左右壁部を有する洗い場床からなる洗い場フロアーとで構成したものも知られている。
【０００３】
【発明が解決しようとする課題】
しかしながら、前者の浴室ユニットにあっては、浴槽フロアーと洗い場フロアーが一体の防水パンで形成されているため、フロアーのレベル出し作業を行う場合に、例えば防水パンの下部に潜り込んで防水パンの裏面に設けられた高さ調整用の脚を調整しなければならなかったり、防水パン自体が大型化して設置現場への搬入が面倒となり、設置作業の作業性が劣るという問題点を有している。
【０００４】
また、後者の浴室ユニットにあっては、フロアーが支持架台と浴槽受け及び洗い場床の３つの部材で形成されているため、前者の浴室ユニットの持つ問題点はある程度解消されるものの、次のような問題点を有している。すなわち、洗い場フロアーを形成する洗い場床が、浴槽の上縁部まで立ち上がったエプロン部や左右壁部を有する深底の大型形状に形成されると共に、その底壁に脚等が一体的に組み付けられていることから、嵩張ると共にその重量も重くなり、洗い場床自体の運搬や設置現場への搬入作業等の作業性が劣る。
【０００５】
また、浴槽フロアーを形成する支持架台の内側には、非設置状態において比較的大きな空き空間が形成されるが、前記の３分割構造ではこの空き空間内に浴槽受けや洗い場床を収容させることが困難であるため、支持架台の空き空間の有効活用が図れず、例えば保管・運搬時に広いスペースが必要となって、結果としてコストアップを招き易い。さらに、浴槽フロアーの支持架台上に支持される浴槽受けが浴槽の上縁部を単に支持するのみであるため、浴槽を確実な防水性を有して設置することが困難となる。
【０００６】
本発明は、このような事情に鑑みてなされたもので、その目的は、フロアーを効果的な分割状態とすることにより、レベル出し等の設置の作業性向上は勿論のこと保管・運搬や搬入作業の容易化をも同時に図り得ると共に、浴槽を十分な防水性を有して安価に設置し得る浴室ユニットのフロアー構造を提供することにある。
【０００７】
【課題を解決するための手段】
かかる目的を達成すべく、本発明のうち請求項１に記載の発明は、浴槽が設置される浴槽フロアーと洗い場が設けられる洗場フロアーとを連結することによりフロアーが形成される浴室ユニットのフロアー構造であって、前記浴槽フロアーを、上面側に開口部を有する枠状の金属架台と該金属架台の開口部内に配置され内部に浴槽が収容配置される前記金属架台と略同じ高さの深底桶状の防水パンとで構成すると共に、前記洗い場フロアーを、上面側に開口部を有する枠状の金属架台と該金属架台の開口部上に配置される浅底皿形状の防水パンとで構成することにより前記フロアーを４つの部材に分割できると共に、前記フロアーの設置状態において、浴槽側の防水パンと洗い場側の防水パンとが連結部材により連結され、且つ、前記洗い場フロアーは、防水パン部とカウンター部とに分割され、前記連結部材は、浴槽側の防水パンに形成された固定面に対応した固定部と、洗い場側の防水パンに形成された係止壁に対応して断面略逆Ｕ字状とされた係止部とを有し、当該連結部材が洗い場フロアーと浴槽側の防水パンが接する領域のほぼ全長にわたって設けられていることを特徴とする。
【０００８】
このように構成することにより、浴槽フロアーと洗い場フロアーとで形成されるフロアーは、各フロアーの金属架台の開口部に防水パンがそれぞれ設置され、この設置状態において、浴槽側の防水パンと洗い場側の防水パンが連結部材を介して連結されて両防水パンが一体化される。この時、フロアーが大きく４つの部材で形成されることから、個々の形状の小型化と軽量化が図れてその保管や運搬及び搬入作業が容易に行える。また、浴槽側の防水パンが金属架台と略同じ高さの深底樋形状に形成されることから、この防水パンを浴槽側の金属架台の空き空間に収容した状態で、かつ防水パン内に他の設置部材を収容した状態で保管や運搬等が行えると共に、樋形状の防水パンでその内部に配置される浴槽下部に十分な防水性が確保される。
【０００９】
そして、前記洗い場側の防水パンは、請求項２に記載の発明のように、その裏面に該防水パンの補強を兼ねる固定板が設けられ、該固定板が洗い場側の金属架台の桁材に固定されるとともに、洗い場フロアーの防水パン部の略中央部に対応するように、洗い場フロアーの金属架台を構成する枠の中央に前記桁材を配設し、且つ、前記固定板は、金属架台の中央の桁材、反浴槽側の金属架台に固定されたものとすることが好ましい。
【００１３】
【発明の実施の形態】
以下、本発明の実施の形態を図面に基づいて詳細に説明する。
図１〜図５は、本発明に係わる浴室ユニットのフロアー構造の一実施例を示し、図１がその設置状態の概略斜視図、図２が浴槽フロアーの分解斜視図、図３が洗い場フロアーの分解斜視図、図４及び図５が要部の断面図である。
【００１４】
図１において、浴室ユニット１の床面を形成するフロアー２は、浴槽フロアー３と洗い場フロアー４との分割構造とされている。浴槽フロアー３は、浴槽側金属架台５（以下、金属架台５という）と内部に浴槽９が設置される浴槽側防水パン７（以下、防水パン７という）とで形成され、洗い場フロアー４は、洗い場側金属架台６（以下、金属架台６という）と表面側に洗い場１０が設けられる洗い場側防水パン８（以下、防水パン８という）とで形成されている。そして、金属架台５、６の外周端部上に壁パネル１１がそれぞれ組み立てられると共に、金属架台６の一端部上にカウンター１２等が組み立てられること等により、浴室ユニット１が形成されている。
【００１５】
前記浴槽フロアー３の金属架台５は、図２に示すように、角形もしくはＬ型の鋼材を溶接、ねじ止めすること等により上面側に開口部５ａを有して枠状に形成されている。そして、その底面側の２本の鋼材５ｂ、５ｃには、防水パン７の設置部としての４枚の防水パン支持板１４が固定されると共に、この防水パン支持板１４の下部や金属架台５の４隅下部にはレベル出し用の高さ調整ボルト１５がそれぞれ上下動可能に取り付けられている。また、金属架台５の洗い場１０側の側面の鋼材５ｄ上には浴槽エプロン１３（図１参照）を設置するための開口１６が設けられ、この開口１６の幅方向一端側の垂直な鋼材５ｅには前記防水パン７と後述する点検蓋１７用の固定孔１８が穿設されている。
【００１６】
また、前記防水パン７は、例えば樹脂成型（もしくは防水シート等）によって深底の略樋形状に形成されて、洗い場側の側面には金属架台５の前記開口１６に対応した切欠部１９が設けられており、この切欠部１９には固定用の孔を有する水平な連結金具固定面２０と固定用の孔を有する垂直な点検蓋固定面２１とが形成されている。また、防水パン７の切欠部１９側を除く上面開口端縁には、該防水パン７固定用の孔を有するフランジ７ａがそれぞれ一体形成されている。
【００１７】
そして、この防水パン７は、金属架台５の開口部５ａ内に上方から嵌挿されて、その底壁７ｂが前記防水パン支持板１４上に載置されると共に、フランジ７ａを防水パン７用の図示しない壁パネル支え金具に連結固定することによって浴室ユニット１内に設置されるように構成されている。なお、金属架台５の防水パン支持板１４は、浴槽９の底壁に設けられた４つの脚部と対応する位置にそれぞれ設けられている。
【００１８】
一方、前記洗い場フロアー４の金属架台６は、図３に示すように、金属架台５と同様に、上面側に複数の開口部６ａを有する格子に組んだ枠状に形成され、この金属架台６は、その４隅下部や他の所定位置下部にレベル出し用の高さ調整ボルト２４がそれぞれ上下動可能に配設されると共に、長手方向に沿った鋼材６ｂと長手方向の一端側の鋼材６ｃには壁支え金具２５固定用の孔が穿設され、長手方向に沿った中央の鋼材６ｄには防水パン８固定用の孔が穿設されている。
【００１９】
また、金属架台６は、その長手方向の他端部に上方に立ち上がった鋼材６ｆを有するカウンター取付部２６が設けられると共に、このカウンター取付部２６の前方側には、上面が例えば一段高く設定された仕切壁２７が設けられている。そして、このカウンター取付部２６には、側面視Ｌ字形状の点検蓋１７が上方から着脱可能に取り付けられている。なお、点検蓋１７には、その外周部に固定用の孔が穿設されると共にその水平部に配管もしくは点検用の開口１７ａが例えば２個穿設されている。
【００２０】
前記防水パン８は、例えば樹脂成型（もしくは木材等）によって浅底の略皿形状に形成されて、その側壁上部には外方に延びたフランジ８ａが形成されると共に、浴槽９側のフランジ８ａの端部には上方に立ち上がった係止壁８ｂが一体形成されている。また、防水パン８の裏面には、図５に示すように、長手方向に沿って防水パン８の金属架台６への固定機能と補強（剛性アップ）機能を兼ねる２本のＬ型アングル等からなる固定板２８が例えばねじによって固定されている。
【００２１】
そして、洗い場フロアー４は、金属架台６のカウンター取付部２６側の開口部６ａに点検蓋１７を取り付けると共に、仕切壁２７より前方の開口部６ａ内に防水パン８の固定板２８を嵌挿位置させて、該固定板２８を金属架台６の鋼材６ｄにねじ固定する。また、図４に示すように、防水パン８の係止壁８ｂに連結金具２９の係止部２９ａを係止させて、この連結金具２９の固定部２９ｂを前記金属架台５の連結金具固定面２０にねじ３１で固定することにより、浴槽フロアー３の防水パン７と連結される。
【００２２】
ここで、浴槽フロアー３と洗い場フロアー４の設置方法の一例と、各フロアー３、４への壁パネル１１の組立方法の一例について説明する。先ず、金属架台５をその高さ調整ボルト１５の調整でレベル出しすると共に、金属架台６をその高さ調整ボルト２４の調整でレベル出しして、両金属架台５、６を設置場所に所定の高さで配置する。
【００２３】
この時、両金属架台５、６のレベル出しは、各開口部５ａ、６ａを利用して行い、例えば金属架台５の上端面が金属架台６のカウンター取付部２６の鋼材６ｆの上端面と面一になるように設定する。また、両金属架台５、６の配置位置関係は、金属架台６の長手方向の鋼材６ｅが金属架台５の側面の鋼材５ｆに当接（もしくは近接）する状態に設定する。
【００２４】
この両金属架台５、６を所定位置に配置した状態において、両金属架台５、６の外周端面上に壁パネル１１を組み立てる。この壁パネル１１の組み立ては、金属架台６の場合、その鋼材６ｂ、６ｃの孔に壁支え金具２５の下端をねじ固定して一体化し、この壁支え金具２５の上部に形成された係止突起２５ａに壁パネル１１の下面に設けた図示しない係止溝を係止させる。これにより、壁パネル１１の下端が壁支え部材２５上に位置決め載置された状態で金属架台６に支持される。
【００２５】
一方、金属架台５の場合は、当該金属架台５の外周端面上に、壁支え金具２５と同様に係止突起等を有する適宜の壁支え金具を使用して、該壁支え金具に例えば防水パン７のフランジ７ａを固定する。これにより、壁支え金具２５等で金属架台５、６の各３辺の外周端面上に所定枚数の壁パネル１１がそれぞれ支持されて、浴室ユニット１の壁パネル１１が両金属架台５、６上に組み立てられる。この時、壁パネル１１を支持する部材が剛性ある金属架台５、６で形成されていることから、その寸法精度を所定に確保して壁パネル１１の幅寸法等に容易に一致させることができて、金属架台５、６上に支持される複数の壁パネル１１の幅方向両側に形成される目地幅の均一化が図れることになる。
【００２６】
そして、この組み立てられた壁パネル１１上に図示しない天井パネルや躯体等が組み立てられると、金属架台５の開口部５ａ内に防水パン７を図２の矢印イの如く嵌挿配置し、この防水パン７内に浴槽９を配置して排水等の配管を行うことで防水パン７内に浴槽９を設置する。浴槽９が設置されると、金属架台６の点検蓋１７の開口１７ａを利用してカウンター１２（図１参照）の上部に設けられる水栓等の配管を行い、点検蓋１７を矢印ハの如く金属架台６のカウンター取付部２６に上方から固定する。
【００２７】
次に、防水パン８の固定板２８を金属架台６の所定の開口部６ａ内に図３の矢印ロの如く嵌挿し、図５に示すように金属架台６に例えばねじ３２で固定し、該金属架台６上に防水パン８を載置状態とする。この時、壁支え金具２５の係止突起２５ａの下部に形成された断面コ字状の係合凹部２５ｂ内に、防水パン８の外周端部が壁パネル１１下端に直接接することのない状態で嵌挿配置されることで、防水パン８に壁パネル１１等の荷重が作用せず、防水パン１１の変形が確実に防止されることになる。
【００２８】
そしてこの状態で、図４に示すように、連結金具２９によって防水パン８と防水パン７を連結固定することにより、浴槽フロアー３と洗い場フロアー４とが一体化されて浴室ユニット１内に設置される。つまり、この浴室ユニット１の場合、フロアー２をそれぞれ金属架台５、６と防水パン７、８からなる浴槽フロアー３と洗い場フロアー４とに分割し、各金属架台５、６を枠状でそれぞれ個別に高さ調整可能に構成すると共に、浴槽側の防水パン７を深底樋形状に形成し洗い場側の防水パン８を浅底皿形状に形成し、これらを連結部材２９で連結することで一体化して、浴室ユニット１のフロアー２を形成するようにしたものである。
【００２９】
なお、以上の組立方法においては、基本的に両金属架台５、６の設置、壁パネル１１（天井パネル）の組み立て、両防水パン７、８の設置の順としたが、例えば浴槽フロアー３の組み立て後に洗い場フロアー４を組み立てる等、設置現場の状況等に応じて適宜の組立方法を採用でき、その際、フロアー２が大きく４つの部材に分割されていることから、各種の設置現場の状況に容易に対応できることになる。
【００３０】
このように、上記実施例の浴室ユニット１のフロアー２においては、それぞれ金属架台５、６と防水パン７、８からなる浴槽フロアー３と洗場フロアー４とで分割構造とし、設置時に連結金具２９で連結して一体化する構造であるため、フロアー２を大きく４つの部材で分割構成でき、個々の部材の大きさを小型で軽量化することができて、従来の３分割された場合に比較して、各部材の保管や運搬時の省スペース化を図ることができると共に、設置現場への搬入作業等を容易に行うことができる。
【００３１】
特に、フロアー２が４つの部材に効果的に分割構成されているため、高さが比較的高い防水パン７を略同じ高さの金属架台５の内部に納めた状態で保管や運搬を行うことができたり、分割構造の洗い場フロアー４の防水パン８を薄型形状でより小型に形成することができて、運搬や搬入作業を一層容易に行うことが可能になる。
【００３２】
また、各フロアー３、４が金属架台５、６と防水パン７、８に分割されているため、金属架台５、６のレベル出しをその開口部５ａ、６ａを利用して簡単に行うことができると共に、防水パン７が深底樋形状に形成されているため、浴室ユニット１の設置に必要な各種部材やボルト・ナット等をこの防水パン７内に収容した状態で運搬や保管を行うことができて、運搬・保管コストの低減化が図れると共に部材の紛失等を確実に防止することができる。
【００３３】
さらに、洗い場フロアー４の金属架台６に防水パン８とは別体の点検蓋１７が取り付けられているため、例えばこの点検蓋１７を取り外すことにより、カウンター１２の上部等に設けられる水栓等の給水湯管の点検作業や配管作業を行うことができて、配管の保守作業等を容易に行うことが可能になると共に、金属架台５に浴槽エプロン１３配設用の切欠部１９が設けられているため、フロアー２を設置後に浴槽エプロン１３を着脱可能に配設することができる。これらのことから、各フロアー３、４の保管から運搬・搬入・設置（金属架台５、６のレベル出しも含む）までの各作業を効率的かつ容易に行うことが可能になる。
【００３４】
また、浴槽９が設置される防水パン７が深底樋形状に形成されているため、浴槽フロアー３に設置される浴槽９の下部周囲を防水パン７で確実に防水することができて、例えば浴槽９から溢れる湯等を該防水パン７を介して外部に的確に排水することが可能になる。また、防水パン８の裏面に金属架台６への固定機能と防水パン８の剛性アップ機能を有する固定板２８を固定しているため、防水パン８自体に設けられるリブを例えば省略することができると共に、防水パン８自体の厚さを薄くすることができる。その結果、防水パン８の一層の軽量化が図れたり、成型用の金型形状を簡略化して、その金型コストを低減させることができて、安価なフロアー２が得られると共に、フロアー２の設計変更等にも容易に対応することが可能になる。
【００３５】
さらにまた、浴槽フロアー３と洗い場フロアー４が、金属製の高さ調整ボルト１５、２４を有する金属架台５、６と、樹脂製の防水パン７、８とで形成されるため、４分割される各部材の材質を一致させることができて、例えば浴室ユニット１のリサイクル時の分別を極めて簡単に行うことができて、その作業の簡略化やリサイクル費用の低減化を図ることが可能になる。
【００３６】
また、上記実施例のように防水パン７、８に関係なく壁パネル１１を金属架台５、６上に直接載置して連結固定することにより、次のような作用効果を得ることができる。すなわち、例えば金属架台５、６を設置し、この金属架台５、６上に壁パネル１１や天井パネル及び躯体等をそれぞれ組み立てた後であっても、各防水パン７、８を設置することができるため、設置作業の汎用性を高めることができて、各種設置現場の状況に対応した適切な設置作業を行うことができる。
【００３７】
また、両金属架台５、６上に壁パネル１１の下端が壁支え金具２５等を介して支持されるため、上部に天井パネルが組み立てられた壁パネル１１の重量を剛性の高い金属架台５、６で直接支持することができて、従来のような壁パネル１１等の重量による防水パン７、８の変形を確実に防止することができる。
【００３８】
また、壁パネル１１を支持する部材が剛性ある金属架台５、６で構成され、その寸法精度を所定に設定することができるため、所定部位の寸法を壁パネル１１の寸法と容易に一致させることができて、従来のような樹脂成形精度に影響されない状態での壁パネル１１のフロアー２への組み立てが可能となると共に、金属架台５、６を予め工場生産できるため、その寸法精度を一層高めることができ、複数枚の壁パネル１１が幅方向に連結される場合の目地幅のバラツキ発生を抑えて所定値に設定できる。これらのことから、浴室ユニット１の床面や壁面の意匠的価値を高めることが可能になる。
【００３９】
なお、上記実施例における金属架台５、６の形状や防水パン７、８の形状、防水パン８の固定板２８の数や位置、連結金具２９や壁支え金具２５の形状その材質等も一例であって、例えば固定板２８を防水パンに一体形成したリブで形成する等、本発明に係わる各発明の要旨を逸脱しない範囲において種々変更することができる。
【００４０】
【発明の効果】
以上詳述したように、請求項１に記載の発明によれば、浴槽フロアーと洗い場フロアーからなるフロアーが金属架台と防水パンの４分割状態とされ、浴槽側の防水パンと洗い場側の防水パンが連結部材を介して連結されて両防水パンが一体化されるため、個々の部材の形状の小型化と軽量化を図ることができてその保管・運搬及び搬入・設置を容易に行うことができると共に、金属架台と略同じ高さの深底樋形状の防水パンでその内部に配置される浴槽下部の周囲に十分な防水性を容易に確保することができる。
【図面の簡単な説明】
【図１】本発明に係わる浴室ユニットのフロアー構造の一実施例を示すその設置状態の概略斜視図
【図２】同その浴槽フロアーの分解斜視図
【図３】同洗い場フロアーの分解斜視図
【図４】同両防水パンの連結部分の断面図
【図５】同洗い場側防水パンの固定部分の断面図
【符号の説明】
１・・・・・・・浴室ユニット
２・・・・・・・フロアー
３・・・・・・・浴槽フロアー
４・・・・・・・洗い場フロアー
５・・・・・・・浴槽側金属架台
５ａ・・・・・・開口部
６・・・・・・・洗い場側金属架台
６ａ・・・・・・開口部
７・・・・・・・浴槽側防水パン
８・・・・・・・洗い場側防水パン
８ａ・・・・・・フランジ
８ｂ・・・・・・係止部
９・・・・・・・浴槽
１０・・・・・・洗い場
１１・・・・・・壁パネル
１２・・・・・・カウンター
１３・・・・・・浴槽エプロン
１５、２４・・・高さ調整ボルト
１７・・・・・・点検蓋
１８・・・・・・浴槽
２５・・・・・・壁支え金具
２９・・・・・・連結金具
２９ａ・・・・・係止部
２９ｂ・・・・・固定部
【図１】
0004132833.tif 000002
【図２】
0004132833.tif 000003
【図３】
0004132833.tif 000004
【図４】
0004132833.tif 000005
【図５】
0004132833.tif 000006